(57)【特許請求の範囲】
【請求項１】
液透過性シートと、液不透過性シートと、それらの間の吸収コアを含む吸収体と、着衣に固定する固定部とを備える吸収性物品であって、
前記吸収性物品が、長手方向及び幅方向を有し、前記長手方向において、前方領域、中央領域及び後方領域に区画されるとともに、前記幅方向において、長手方向中央線により第１領域及び第２領域に区画され、
前記吸収性物品が、前記吸収体及び前記固定部を有するとともに前記長手方向に延びる吸収性本体部と、前記前方領域の第１領域及び第２領域のそれぞれにおいて、前記吸収性本体部の、前記長手方向の側縁から前記幅方向に延出しているフラップ部とを備え、
前記前方領域の第１領域及び第２領域のそれぞれにおいて、前記フラップ部が、前記フラップ部の外縁と、前記吸収コアの側縁との間の、前記幅方向の長さが、前記吸収コアの側縁と、前記長手方向中央線との間の、前記幅方向の長さよりも長い部分を含み、
第１領域及び第２領域のそれぞれにおいて、前記前方領域における前記フラップ部が、着用状態において、少なくともその一部が、着用者の鼠径部に沿って着衣の外側に延出するように構成されている、
ことを特徴とする、前記吸収性物品。
【請求項２】
液透過性シートと、液不透過性シートと、それらの間の吸収コアを含む吸収体と、着衣に固定する固定部とを備える吸収性物品であって、
前記吸収性物品が、長手方向及び幅方向を有し、前記長手方向において、前方領域、中央領域及び後方領域に区画されるとともに、前記幅方向において、長手方向中央線により第１領域及び第２領域に区画され、
前記吸収性物品が、前記吸収体及び前記固定部を有するとともに前記長手方向に延びる吸収性本体部と、前記前方領域の第１領域及び第２領域のそれぞれにおいて、前記吸収性本体部の、前記長手方向の側縁から前記幅方向に延出しているフラップ部とを備え、
前記前方領域の第１領域及び第２領域のそれぞれにおいて、前記フラップ部が、前記フラップ部の外縁と、前記吸収コアの側縁との間の、前記幅方向の長さが、前記吸収コアの側縁と、前記長手方向中央線との間の、前記幅方向の長さよりも長い部分を含み、
前記前方領域の第１領域及び第２領域のそれぞれにおいて、前記フラップ部が、着衣に固定するための固定部を有しない、
ことを特徴とする、前記吸収性物品。
【請求項３】
第１領域及び第２領域のそれぞれにおいて、前記前方領域における前記フラップ部が、着用状態において、少なくともその一部が、着用者の鼠径部に沿って着衣の外側に延出するように構成されている、請求項２に記載の吸収性物品。
【請求項４】
前記前方領域の第１領域及び第２領域のそれぞれにおいて、前記フラップ部が、着衣に固定するための固定部を有しない、請求項１に記載の吸収性物品。
【請求項５】
前記吸収性本体部が、第１領域における、前記フラップ部の外縁の前記幅方向の最も外側の部分の中で前記長手方向の中央に位置する前方点と、第２領域における、前記フラップ部の外縁の前記幅方向の最も外側の部分の中で前記長手方向の中央に位置する前方点とを通る仮想線よりも前方に、着衣に固定するための固定部を備える、請求項１〜４のいずれか一項に記載の吸収性物品。
【請求項６】
第１領域及び第２領域のそれぞれにおいて、前記吸収性物品の幅方向中央線と、前記吸収コアの側縁とが交差する交点と、前記前方領域における前記フラップ部の外縁の前記幅方向の最も外側の部分の中で前記長手方向の中央に位置する前方点とを結ぶ前方仮想線分が、前記フラップ部の外縁と、前記前方点を除いて前記吸収性物品の厚さ方向に重複していない、請求項１〜５のいずれか一項に記載の吸収性物品。
【請求項７】
前記中央領域の第１領域及び第２領域のそれぞれにおいて、前記吸収性物品が、前記フラップ部をさらに備え、前記中央領域における前記フラップ部が、前記フラップ部の外縁と、前記吸収コアの側縁との間の、前記幅方向の長さが、前記吸収コアの側縁と、前記長手方向中央線との間の、前記幅方向の長さよりも長い部分を含む、請求項１〜６のいずれか一項に記載の吸収性物品。
【請求項８】
第１領域及び第２領域のそれぞれにおいて、前記吸収性物品が、前記フラップ部を、前記後方領域にさらに備え、前記後方領域における前記フラップ部が、前記中央領域における前記フラップ部よりも、前記幅方向の外側に延出している、請求項１〜７のいずれか一項に記載の吸収性物品。
【請求項９】
第１領域及び第２領域のそれぞれにおいて、前記後方領域における前記フラップ部が、着衣に固定するための固定部を有し、前記吸収性物品の幅方向中央線と、前記吸収コアの側縁とが交差する交点と、前記後方領域における前記フラップ部の外縁の前記幅方向の最も外側の部分の中で前記長手方向の中央に位置する後方点とを結ぶ後方仮想線分が、前記フラップ部の外縁と、前記後方点を除いて前記吸収性物品の厚さ方向に重複していない、請求項８に記載の吸収性物品。
【請求項１０】
前記吸収性物品が、その幅方向中央線に沿って２つ折りされている、請求項１〜９のいずれか一項に記載の吸収性物品。
【発明の詳細な説明】
【技術分野】
【０００１】
本開示は、吸収性物品に関する。
【背景技術】
【０００２】
着衣に固定して用いられる固定部を有する吸収性物品、例えば、生理用ナプキンでは、例えば、特許文献１〜３に示されるように、吸収性本体部から、吸収性物品の幅方向に延出する、一対のサイドフラップ部、一対のヒップフラップ部等を備えるものが知られている。また、上述の吸収性物品では、吸収性本体部、一対のサイドフラップ部、一対のヒップフラップ部に、吸収性物品を着衣、例えば、ショーツに固定するための固定部が配置されているのが一般的である。
【０００３】
上述の吸収性物品では、吸収性物品を使用するに当たり、吸収性本体部及び一対のヒップフラップ部の固定部を、未着用状態の着衣の内面に仮固定し、そして一対のサイドフラップ部の固定部を着衣の外面に仮固定し、次いで、着衣等を身につけることにより、吸収性本体部及び一対のヒップフラップ部の固定部、並びに一対のサイドフラップ部の固定部を着衣に本固定するのが一般的である。
【先行技術文献】
【特許文献】
【０００４】
【特許文献１】特開２０００−１８９４５６号公報
【特許文献２】特開２００５−２２４５３１号公報
【特許文献３】特開２００７−１１１５５４号公報
【発明の概要】
【発明が解決しようとする課題】
【０００５】
上述の吸収性物品では、吸収性物品を、未着用状態の着衣に仮固定した後は、吸収性物品と、着衣との位置関係を変えることが難しく、吸収性物品と、未着用状態の着衣との位置関係を保持したまま、吸収性物品が着衣に本固定されやすい傾向がある。一方、着衣は、未着用状態と、着用状態とでは、その伸長状態が異なり、通常、着衣は、未着用状態よりも、着用状態においてより伸長している。従って、吸収性物品を未着用状態の着衣に皺なく仮固定及び本固定した場合であっても、着用状態における着衣と、吸収性物品との位置関係が好ましい状態にあるものではない。その結果、従来の吸収性物品は、着用状態において、違和感を覚えることがあった。
従って、本開示は、着用者が、吸収性物品及び着衣を着用した状態において、吸収性物品の位置を調整することができ、違和感を覚えにくい吸収性物品を提供することを目的とする。
【課題を解決するための手段】
【０００６】
本開示者らは、液透過性シートと、液不透過性シートと、それらの間の吸収コアを含む吸収体と、着衣に固定する固定部とを備える吸収性物品であって、上記吸収性物品が、長手方向及び幅方向を有し、上記長手方向において、前方領域、中央領域及び後方領域に区画されるとともに、上記幅方向において、長手方向中央線により第１領域及び第２領域に区画され、上記吸収性物品が、上記吸収体及び上記固定部を有するとともに上記長手方向に延びる吸収性本体部と、上記前方領域の第１領域及び第２領域のそれぞれにおいて、上記吸収性本体部の、上記長手方向の側縁から上記幅方向に延出しているフラップ部とを備え、上記前方領域の第１領域及び第２領域のそれぞれにおいて、上記フラップ部が、上記フラップ部の外縁と、上記吸収コアの側縁との間の、上記幅方向の長さが、上記吸収コアの側縁と、上記長手方向中央線との間の、上記幅方向の長さよりも長い部分を含むことを特徴とする吸収性物品を見出した。
【発明の効果】
【０００７】
本開示の吸収性物品は、着用者が、吸収性物品及び着衣を着用した状態において、吸収性物品の位置を調整することができ、違和感を覚えにくい。
【図面の簡単な説明】
【０００８】
【図１】図１は、本開示の実施形態の１つ（第１実施形態）に従う吸収性物品１の正面図である。
【図２】図２は、第１実施形態に従う吸収性物品１の背面図である。
【図３】図３は、吸収体１０５を説明するための図である。
【図４】図４は、図１のＩＶ−ＩＶ断面における断面図である。
【図５】図５は、第１実施形態に従う吸収性物品１と、着衣２０１との関係を示す図である。
【図６】図６は、第１実施形態に従う吸収性物品１を説明するための図（平面図）である。
【図７】図７は、第１実施形態に従う吸収性物品１を説明するための図（平面図）である。
【図８】図８は、第１実施形態に従う吸収性物品１の着用の仕方を説明するための図である。
【図９】図９は、第１実施形態に従う吸収性物品１の着用状態を説明するための図である。
【図１０】図１０は、吸収性物品１及び着衣２０１を着用した状態における、第１実施形態に従う吸収性物品１の、図１のＩＶ−ＩＶ端面に相当する端面図である。
【発明を実施するための形態】
【０００９】
［定義］
・「長手方向」及び「幅方向」
本明細書において、「長手方向」及び「幅方向」は、特に断りのない限り、それぞれ、吸収性物品の「長手方向」及び「幅方向」を意味する。また、長手方向の長さを、単に、「長さ」と称する場合があり、そして幅方向の長さを、単に、「幅」と称する場合がある。
・「前方領域」、「中央領域」及び「後方領域」
本明細書において、「前方領域」、「中央領域」及び「後方領域」は、吸収性物品の長手方向長さを３等分するように区画される仮想領域である。
【００１０】
・「長手方向中央線」及び「幅方向中央線」
本明細書において、「長手方向中央線」は、吸収性物品を幅方向に２等分するように、吸収性物品の長手方向に延びる仮想線であり、そして「幅方向中央線」は、吸収性物品を長手方向に２等分するように、吸収性物品の幅方向に延びる仮想線である。
なお、長手方向中央線は、一般的には、後述の吸収性本体部に存在する。
・「第１領域」及び「第２領域」
本明細書において、「第１領域」及び「第２領域」は、それぞれ、上記長手方向中央線を境界として、一方の領域及び他方の領域を意味する。
【００１１】
・「内側」及び「外側」
本明細書において、特定部分（例えば、フラップ部）が着衣の「内側」にあることは、吸収性物品が固定される着衣を着用した状態において、当該特定部分が、着衣と、着用者の肌との間の領域に存在することを意味し、そして特定部分が着衣の「外側」にあることは、吸収性物品が固定される着衣を着用した状態において、当該特定部分が露出し、外から見えることを意味する。
【００１２】
・「吸収性本体部」
本明細書では、「吸収性本体部」は、吸収性物品の展開状態において、吸収体の長手方向の一方の側縁に沿った直線と、吸収体の長手方向の他方の側縁に沿った直線とによって囲まれた部分を意味する。吸収体の幅が場所によって変化する場合（例えば、吸収体が、砂時計型の形状を有する場合）には、吸収体の幅が最も広い部分を通る、長手方向に延びる２本の直線によって囲まれた部分が、吸収性本体部である。
従って、吸収性本体部の、吸収性物品の長手方向の一方の側縁及び他方の側縁と、吸収コアの一方の側縁及び他方の側縁とは一致しない場合がある。
【００１３】
・「フラップ部」
本明細書において、フラップ部は、中央領域の第１領域及び第２領域のそれぞれにおいて、吸収性本体部の、吸収性物品の長手方向の側縁から、吸収性物品の幅方向に延出している。本明細書では、第１領域におけるフラップ部を、「第１フラップ部」と称し、第２領域におけるフラップ部を「第２フラップ部」と称する場合があり、第１フラップ部及び第２フラップ部を、「一対のフラップ部」と称する場合がある。
【００１４】
また、前方領域、中央領域及び後方領域におけるフラップ部を、それぞれ、前方フラップ部、中央フラップ部及び後方フラップ部と称する場合がある。また、第１領域における前方フラップ部、中央フラップ部及び後方フラップ部を、それぞれ、「第１前方フラップ部」、「第１中央フラップ部」及び「第１後方フラップ部」と称する場合があり、第２領域における前方フラップ部、中央フラップ部及び後方フラップ部を、それぞれ、「第２前方フラップ部」、「第２中央フラップ部」及び「第２後方フラップ部」と称する場合がある。
【００１５】
また、第１前方フラップ部及び第２前方フラップ部を合わせて、「一対の前方フラップ部」と称する場合があり、第１中央フラップ部及び第２中央フラップ部を合わせて、「一対の中央フラップ部」と称する場合があり、そして第１後方フラップ部及び第２後方フラップ部を合わせて、「一対の後方フラップ部」と称する場合がある。
【００１６】
本開示は、以下の態様に関する。
［態様１］
液透過性シートと、液不透過性シートと、それらの間の吸収コアを含む吸収体と、着衣に固定する固定部とを備える吸収性物品であって、
上記吸収性物品が、長手方向及び幅方向を有し、上記長手方向において、前方領域、中央領域及び後方領域に区画されるとともに、上記幅方向において、長手方向中央線により第１領域及び第２領域に区画され、
上記吸収性物品が、上記吸収体及び上記固定部を有するとともに上記長手方向に延びる吸収性本体部と、上記前方領域の第１領域及び第２領域のそれぞれにおいて、上記吸収性本体部の、上記長手方向の側縁から上記幅方向に延出しているフラップ部とを備え、
上記前方領域の第１領域及び第２領域のそれぞれにおいて、上記フラップ部が、上記フラップ部の外縁と、上記吸収コアの側縁との間の、上記幅方向の長さが、上記吸収コアの側縁と、上記長手方向中央線との間の、上記幅方向の長さよりも長い部分を含む、
ことを特徴とする、上記吸収性物品。
【００１７】
上記吸収性物品では、一対の前方フラップ部が、所定の幅方向の長さを有するので、着用者が、吸収性物品及び着衣を着用した状態において、一対の前方フラップ部を把持し、吸収性物品の位置を調整することができるので、着用者が違和感を覚えにくい。
【００１８】
［態様２］
第１領域及び第２領域のそれぞれにおいて、上記前方領域における上記フラップ部が、着用状態において、少なくともその一部が、着用者の鼠径部に沿って着衣の外側に延出するように構成されている、態様１に記載の吸収性物品。
【００１９】
上記吸収性物品では、吸収性物品及び着衣を着用した状態で、一対の前方フラップ部が、少なくともその一部が、着用者の鼠径部に沿って着衣の外側に延出するように構成されている。従って、上記吸収性物品は、態様２の要件を満たさない場合と比較して、着用者が、吸収性物品の着用の際に、着衣の外側に延出した部分を把持して、吸収性物品の位置を整えやすい。
【００２０】
［態様３］
上記前方領域の第１領域及び第２領域のそれぞれにおいて、上記フラップ部が、着衣に固定するための固定部を有しない、態様１又は２に記載の吸収性物品。
【００２１】
上記吸収性物品では、一対の前方フラップ部が、着衣に固定するための固定部を有しないので、着用者が、吸収性物品の着用の際に、一対の前方フラップ部を、着衣に制限されずに動かすことができる。従って、上記吸収性物品は、その着用の際に、一対の前方フラップ部を把持し、位置を整えやすい。
【００２２】
［態様４］
上記吸収性本体部が、第１領域における、上記フラップ部の外縁の上記幅方向の最も外側の部分の中で上記長手方向の中央に位置する前方点と、第２領域における、上記フラップ部の外縁の上記幅方向の最も外側の部分の中で上記長手方向の中央に位置する前方点とを通る仮想線よりも前方に、着衣に固定するため固定部を備える、態様１〜３のいずれか一項に記載の吸収性物品。
【００２３】
上記吸収性物品では、吸収性本体部が、所定の仮想線より前方に、着衣に固定するため固定部を有するので、着用者が、吸収性物品の着用の際に、一対の前方フラップ部を把持して吸収性物品の位置を整えやすくなるとともに、吸収性物品及び着衣を着用した状態で、吸収性物品の前方領域の部分が着用者の鼠径部にフィットし続け、そして吸収性物品がよれにくくなる。
【００２４】
［態様５］
第１領域及び第２領域のそれぞれにおいて、上記吸収性物品の幅方向中央線と、上記吸収コアの側縁とが交差する交点と、上記前方領域における上記フラップ部の外縁の上記幅方向の最も外側の部分の中で上記長手方向の中央に位置する前方点とを結ぶ前方仮想線分が、上記フラップ部の外縁と、上記前方点を除いて上記吸収性物品の厚さ方向に重複していない、態様１〜４のいずれか一項に記載の吸収性物品。
【００２５】
上記吸収性物品では、一対のフラップ部が、その外縁と、所定の前方仮想線分とが吸収性物品の厚さ方向に重複しないように構成されている。従って、着用者が、吸収性物品の着用の際に、一対の前方フラップ部の前方点の近傍を把持し、長手方向の前方及び幅方向の外側に動かして力を加えた際に、当該力が吸収性物品、具体的には吸収コアの幅方向中央線の近傍まで作用し、吸収性物品の幅方向中央線から前方の部分の位置を修正し、適切な位置に皺なく配置させやすい。その結果、着用者が、吸収性物品及び着衣を着用した状態で、違和感を覚えにくくなる。
【００２６】
［態様６］
上記中央領域の第１領域及び第２領域のそれぞれにおいて、上記吸収性物品が、上記フラップ部をさらに備え、上記中央領域における上記フラップ部が、上記フラップ部の外縁と、上記吸収コアの側縁との間の、上記幅方向の長さが、上記吸収コアの側縁と、上記長手方向中央線との間の、上記幅方向の長さよりも長い部分を含む、態様１〜５のいずれか一項に記載の吸収性物品。
【００２７】
上記吸収性物品では、一対の中央フラップ部が、所定の幅方向の長さを有する。一般的に、着衣に固定して用いられる吸収性物品では、吸収体は、着衣、例えば、ショーツの最も狭い部分である、股間幅（両内ももの幅）に合わせて設計されている。従って、所定の幅方向の長さを有する、吸収性物品及び着衣を着用した状態で、一対の中央フラップ部は、着用者の内ももに沿って下方に延びるように配置されやすくなり、上記吸収性物品は、体液、例えば、血液（例えば、経血）、尿等の漏れを抑制し、そして着用者に視覚的な安心感を付与することができる。
【００２８】
［態様７］
第１領域及び第２領域のそれぞれにおいて、上記吸収性物品が、上記フラップ部を、上記後方領域にさらに備え、上記後方領域における上記フラップ部が、上記中央領域における上記フラップ部よりも、上記幅方向の外側に延出している、態様１〜６のいずれか一項に記載の吸収性物品。
上記吸収性物品は、一対の後方フラップ部を備えるので、吸収性物品が、特に、後方領域においてよれにくい。
【００２９】
［態様８］
第１領域及び第２領域のそれぞれにおいて、上記後方領域における上記フラップ部が、着衣に固定するための固定部を有し、上記吸収性物品の幅方向中央線と、上記吸収コアの側縁とが交差する交点と、上記後方領域における上記フラップ部の外縁の上記幅方向の最も外側の部分の中で上記長手方向の中央に位置する後方点とを結ぶ後方仮想線分が、上記フラップ部の外縁と、上記後方点を除いて上記吸収性物品の厚さ方向に重複していない、態様７に記載の吸収性物品。
【００３０】
上記吸収性物品では、一対の後方フラップ部が、その外縁と、所定の後方仮想線分とが吸収性物品の厚さ方向に重複しないように構成されている。従って、着用者が吸収性物品を着用する際に、着衣に、一対の後方フラップ部を仮固定すると、着用者が着衣を身につけた際に、着衣の胴周り方向が伸び、それにつられて、一対の後方フラップ部が、吸収性物品の幅方向の外側に押し広げられるような力を受ける。上記力は、吸収性物品の幅方向中央線の近傍までダイレクトに作用し、吸収性物品の幅方向中央線から後方の部分の位置を修正し、適切な位置に皺を抑制して配置させることができる。その結果、着用者が、吸収性物品及び着衣を着用した状態で、違和感を覚えにくくなる。
【００３１】
当該効果は、態様８の構成と、態様５の構成とを組み合わせた場合により高くなる。すなわち、一対の前方フラップ部の前方点の近傍を把持し、前方及び幅方向外側に動かした際に、その力が吸収性物品の幅方向中央線の近傍まで作用し、吸収性物品の幅方向中央線から前方の部分を、適切な位置に皺なく配置されやすくするとともに、上記力が吸収性物品の幅方向中央線を超えて、後方点の近傍まで作用し、吸収性物品の幅方向中央線から後方の部分を、適切な位置に皺なく配置されやすくする。また、着用者が吸収性物品を着用する際に、着衣に、一対の後方フラップ部を仮固定すると、着用者が着衣を着用するにつれ、着衣の胴周り方向が伸び、それにつられて、一対の後方フラップ部が、幅方向に押し広げられるような力を受ける。上記力は、吸収性物品の幅方向中央線の近傍まで作用し、吸収性物品の幅方向中央線から後方の部分を、適切な位置に皺なく配置させやすくする。その結果、着用者が、吸収性物品及び着衣を着用した状態で、違和感を覚えにくくなる。
【００３２】
［態様９］
上記吸収性物品が、その幅方向中央線に沿って２つ折りされている、態様１〜８のいずれか一項に記載の吸収性物品。
上記吸収性物品は、上記幅方向中央線に沿って２つ折りされているので、吸収性物品及び着衣を着用した状態で、幅方向中央線に沿って、吸収性物品と着用者との間に空隙ができやすくなり、着用者の皮膚が、吸収性物品が吸収した体液に直接触れにくくなる。
また、上記吸収性物品は、幅方向中央線に沿って２つ折りされているので、態様５，又は態様５及び８と組み合わせた場合に、その効果が高い。
【００３３】
本開示の吸収性物品について、以下、詳細に説明する。
図１は、本開示の実施形態の１つ（第１実施形態）に従う吸収性物品１、具体的には、生理用ナプキンの正面図である。図２は、第１実施形態に従う吸収性物品１の背面図である。図３は、吸収体１０５を説明するための図である。図４は、図１のＩＶ−ＩＶ断面における断面図である。図５は、第１実施形態に従う吸収性物品１と、着衣２０１との関係を示す図である。図６及び図７は、第１実施形態に従う吸収性物品１を説明するための図（平面図）である。図８は、第１実施形態に従う吸収性物品１の着用の仕方を説明するための図である。図９は、第１実施形態に従う吸収性物品１及び着衣２０１を着用した状態を説明するための図である。図１０は、吸収性物品１及び着衣２０１を着用した状態における、第１実施形態に従う吸収性物品１の、図１のＩＶ−ＩＶ断面に相当する断面図である。なお、図１〜図３及び図５〜７において、向かって上方が吸収性物品１の前方であり、そして向かって下方が吸収性物品１の後方である。
【００３４】
第１実施形態に従う吸収性物品１は、液透過性シート１０１と、液不透過性シート１０３と、液透過性シート１０１及び液不透過性シート１０３の間の、吸収コア１０６及びコアラップ１０７を含む吸収体１０５と、着衣に固定する固定部１７，固定部４９及び固定部５０とを備える。吸収性物品１は、長手方向Ｌ及び長手方向Ｌと直交する幅方向Ｗ、並びに長手方向中央線ＬＣ及び幅方向中央線ＷＣを有する。吸収性物品１はまた、長手方向Ｌに沿って吸収性物品１の長手方向Ｌの長さを三等分する、前方領域ＦＲ、中央領域ＣＲ及び後方領域ＢＲに区画される。さらに、吸収性物品１は、長手方向中央線ＬＣを境界として、一方の領域である第１領域ＦＩと、他方の領域である第２領域ＳＥとに区画される。
【００３５】
吸収性物品１は、長手方向Ｌに延びる吸収性本体部３と、吸収性本体部３の、長手方向Ｌの一方の側縁１３及び他方の側縁１４から幅方向Ｗにそれぞれ延出している、一対のフラップ部、すなわち、第１フラップ部５及び第２フラップ部９とを備える。
【００３６】
第１フラップ部５及び第２フラップ部９は、それぞれ、前方領域ＦＲ、中央領域ＣＲ、及び後方領域ＢＲにおいて、吸収性本体部３の、長手方向Ｌの一方の側縁１３及び他方の側縁１４から幅方向Ｗにそれぞれ延出しており、第１フラップ部５が、第１領域ＦＩに配置され、そして第２フラップ部９が、第２領域ＳＥに配置されている。
【００３７】
第１フラップ部５は、前方領域ＦＲにおける第１前方フラップ部６と、中央領域ＣＲにおける第１中央フラップ部７と、後方領域ＢＲにおける第１後方フラップ部８とに区画される。第１前方フラップ部６及び第１後方フラップ部８のそれぞれは、第１中央フラップ部７よりも、吸収性物品１の幅方向Ｗの外側に延出する部分を含む。
同様に、第２フラップ部９は、前方領域ＦＲにおける第２前方フラップ部１０と、中央領域ＣＲにおける第２中央フラップ部１１と、後方領域ＢＲにおける第２後方フラップ部１２とに区画される。第２前方フラップ部１０及び第２後方フラップ部１２のそれぞれは、第２中央フラップ部１１よりも、吸収性物品１の幅方向Ｗの外側に延出する部分を含む。
【００３８】
図１及び図４に示されるように、吸収性本体部３は、肌側から着衣側に向かって順に、液透過性シート１０１と、吸収コア１０６及びコアラップ１０７を含む吸収体１０５と、液不透過性シート１０３と、吸収性本体部３を着衣に固定するための固定部１７とを備える。固定部１７は、液不透過性シート１０３の着衣側面１０４に固定されている。
【００３９】
図３に示されるように、吸収体１０５は、吸収コア１０６及びコアラップ１０７を備え、吸収コア１０６が、長手方向Ｌの一方の側縁である、第１吸収コア側縁１５と、長手方向Ｌの他方の側縁である、第２吸収コア側縁１６とを備える。
第１吸収コア側縁１５は、吸収性本体部（図示せず）の一方の側縁（図示せず）よりに、そして第１領域ＦＩに配置されている。第２吸収コア側縁１６は、吸収性本体部（図示せず）の他方の側縁（図示せず）よりに、そして第２領域ＳＥに配置されている。
【００４０】
吸収体１０５、吸収コア１０６及びコアラップ１０７は、長手方向Ｌにおいて、前方領域ＦＲ、中央領域ＣＲ及び後方領域ＢＲに配置されている。
また、吸収コア１０６では、中央領域ＣＲを中心に、第１吸収コア側縁１５及び第２吸収コア側縁１６のそれぞれが、窪み部１０９を備えることにより、吸収コア１０６が、吸収性物品１の展開状態において、砂時計形状を有している。
【００４１】
図１及び図４に示されるように、第１フラップ部５は、肌側から着衣側に向かって順に、概ね、弾性部材２４を備える第１防漏壁２１、液透過性シート１０１、吸収体１０５よりに配置された弾性部材３１、第１フラップ部５の外縁４１よりに配置された第１弾性部材３３、サイドシート１１１、及び液不透過性シート１０３を備える。
第１弾性部材３３は、第１フラップ部５、具体的には、第１フラップ部５の構成部材である、第１防漏壁２１を構成するシートと、サイドシート１１１と、液不透過性シート１０３と一緒になって第１レッグギャザー４３を形成している。
【００４２】
同様に、第２フラップ部９は、肌側から着衣側に向かって順に、概ね、弾性部材３０を備える第２防漏壁２７、液透過性シート１０１、吸収体１０５よりに配置された弾性部材３２、第２フラップ部９の外縁４２よりに配置された第２弾性部材３５、サイドシート１１２、及び液不透過性シート１０３を備える。
第２弾性部材３５は、第２フラップ部９、具体的には、第２フラップ部９の構成部材である、第２防漏壁２７を構成するシートと、サイドシート１１２と、液不透過性シート１０３と一緒になって第２レッグギャザー４４を形成している。
【００４３】
図５に示されるように、着衣２０１に固定されて用いられる吸収性物品１では、中央領域ＣＲにおいて、着衣２０１の股間幅（脚周り開口部２０３と、脚周り開口部２０５との間の距離）と、吸収体１０５（吸収性本体部３）の幅方向Ｗの長さとが略一致している。着衣２０１の股間幅と、吸収体１０５（吸収性本体部３）の上述の長さとは、一般的に、着用者の股間幅（両脚の内もも間の距離）に合わせて設計されるからである。着衣２０１の股間幅は、着衣２０１のカット型、例えば、レギュラーカット型（すなわち、脚周り開口部のラインが、着用者の脚繰りに沿うもの）であっても、ローレッグカット型（すなわち、脚周り開口部のラインがレギュラーカット型よりも浅いもの）であっても、そしてハイレッグカット型（すなわち、脚周り開口部のラインがレギュラーカット型よりも深いもの）によらず、概ね同等である。また、着衣２０１の股間幅は、サイズが異なる場合であっても概ね同等である。
【００４４】
後方領域ＢＲでは、着衣２０１の脚周り開口部２０３及び脚周り開口部２０５のそれぞれが、後方に進むほど、長手方向中央線ＬＣから遠ざかる。着用者の臀部を覆うためである。また、前方領域ＦＲでは、着衣２０１の脚周り開口部２０３及び脚周り開口部２０５のそれぞれは、後方領域ＢＲと比較すると緩やかではあるが、前方に進むほど、長手方向中央線ＬＣから遠ざかる。着用者の腹部を覆う一方で、着用者が脚を上げることを阻害しないためである。
【００４５】
なお、前方領域ＦＲ及び後方領域ＢＲでは、着衣２０１の脚周り開口部２０３及び脚周り開口部２０５のラインは、着衣２０１のカット型によって異なり、例えば、ロウレッグカット型では、前方領域ＦＲ及び後方領域ＢＲにおいて、着衣２０１の脚周り開口部２０３及び脚周り開口部２０５のそれぞれが、レギュラーカット型よりも、長手方向中央線ＬＣから遠い傾向にある。また、ハイレッグカット型では、前方領域ＦＲ及び後方領域ＢＲにおいて、着衣２０１の脚周り開口部２０３及び脚周り開口部２０５のそれぞれが、レギュラーカット型よりも、長手方向中央線ＬＣに近い傾向がある。
【００４６】
図６は、第１実施形態に従う吸収性物品１を説明するための図（正面図）であり、説明のため、液透過性シート１０１、第１防漏壁２１、第２防漏壁２７、並びにサイドシート１１１及びサイドシート１１２が省略されている。
【００４７】
図６に示されるように、第１前方フラップ部６は、第１前方フラップ部６の外縁４１と、第１吸収コア側縁１５との間の、幅方向Ｗの長さ：ｋ1が、第１吸収コア側縁１５と、長手方向中央線ＬＣとの間の、幅方向Ｗの長さ：ｋ1'よりも長い部分を含む。また、第２前方フラップ部１０は、第２前方フラップ部１０の外縁４２と、第２吸収コア側縁１６との間の、幅方向Ｗの長さ：ｋ2が、第２吸収コア側縁１６と、長手方向中央線ＬＣとの間の、幅方向Ｗの長さ：ｋ2'よりも長い部分を含む。そうすることにより、着衣（図示せず）がローレッグカット型であっても、第１前方フラップ部６及び第２前方フラップ部１０が、それぞれ、吸収性物品１及び着衣２０１を着用した状態において、着用者の鼠径部に沿って、着衣（図示せず）の脚周り開口部２０３及び脚周り開口部２０５よりも幅方向Ｗの外側に延出しやすくなる。
【００４８】
図６に示されるように、第１中央フラップ部７が、第１中央フラップ部７の外縁４１と、第１吸収コア側縁１５との間の、幅方向Ｗの長さ：ｍ1が、第１吸収コア側縁１５と、長手方向中央線ＬＣとの間の、幅方向Ｗの長さ：ｍ1'よりも長い部分を含む。また、第２中央フラップ部１１が、第２中央フラップ部１１の外縁４２と、第２吸収コア側縁１６との間の、幅方向Ｗの長さ：ｍ2が、第２吸収コア側縁１６と、長手方向中央線ＬＣとの間の、幅方向Ｗの長さ：ｍ2'よりも長い部分を含む。そうすることにより、第１中央フラップ部７及び第２中央フラップ部１１が、それぞれ、吸収性物品１及び着衣２０１を着用した状態において、着衣（図示せず）の脚周り開口部２０３及び脚周り開口部２０５より外側に延出し、着用者の内ももに沿って下方に延びるように配置される。
【００４９】
図６に示されるように、第１後方フラップ部８が、第１後方フラップ部８の外縁４１と、第１吸収コア側縁１５との間の幅方向Ｗの長さ：ｎ1が、第１吸収コア側縁１５と、長手方向中央線ＬＣとの間の、幅方向Ｗの長さ：ｎ1'よりも長い部分を含む。また、後方領域ＢＲでは、第２後方フラップ部１２が、第２後方フラップ部１２の外縁４２と、第２吸収コア側縁１６との間の幅方向Ｗの長さ：ｎ2が、第２吸収コア側縁１６と、長手方向中央線ＬＣとの間の、幅方向Ｗの長さ：ｎ'よりも長い部分を含む。
【００５０】
そうすることにより、第１後方フラップ部８が、吸収性物品１及び着衣２０１を着用した状態において、第１中央フラップ部７が構成する第１レッグギャザー４３が、着衣（図示せず）の脚周り開口部２０３よりも長手方向中央線ＬＣ側に入り込むことを抑制するように作用するので、吸収した体液が漏れにくくなる。同様に、第２後方フラップ部１２が、吸収性物品１及び着衣２０１を着用した状態において、第２中央フラップ部１１が構成する第２レッグギャザー４４が、着衣（図示せず）の脚周り開口部２０５よりも長手方向中央線ＬＣ側に入り込むことを抑制するように作用するので、吸収した体液が漏れにくくなる。
【００５１】
図６に示されるように、第１弾性部材３３は、前方の端部３３ａと、後方の端部３３ｂとを有し、前方の端部３３ａが、後方の端部３３ｂよりも、幅方向中央線ＷＣに近い。また、第２弾性部材３５が、前方の端部３５ａと、後方の端部３５ｂとを有し、前方の端部３５ａが、後方の端部３５ｂよりも、幅方向中央線ＷＣに近い。すなわち、第１弾性部材３３及び第２弾性部材３５が、吸収性物品１の後方よりに配置されている。
【００５２】
そうすることにより、着用の際に、第１前方フラップ部６及び第２前方フラップ部１０が、それぞれ、第１弾性部材３３及び第２弾性部材３５に引っ張られにくくなり、吸収性物品１の幅方向Ｗの内側に入り込みにくくなり、着衣（図示せず）の脚周り開口部２０３及び脚周り開口部２０５よりも長手方向中央線ＬＣ側に入り込みにくくなる。その結果、着用者が、第１前方フラップ部６及び第２前方フラップ部１０を把持して、吸収性物品１の位置を整えやすくなる。また、その際に、第１中央フラップ部７（第１レッグギャザー４３）及び第２中央フラップ部１１（第２レッグギャザー４４）のそれぞれが、鼠径部を超えて、着用者の内ももにフィットしながら下方に延びやすくなる。
【００５３】
さらに、吸収性物品１及び着衣２０１を着用した状態においても、第１前方フラップ部６及び第２前方フラップ部１０が、それぞれ、第１弾性部材３３及び第２弾性部材３５に引っ張られにくくなり、吸収性物品１の幅方向Ｗの内側に入り込みにくくなり、着衣（図示せず）の脚周り開口部２０３及び脚周り開口部２０５よりも長手方向中央線ＬＣ側に入り込みにくくなる。その結果、第１中央フラップ部７（第１レッグギャザー４３）及び第２中央フラップ部１１（第２レッグギャザー４４）のそれぞれが、鼠径部を超えて、着用者の内ももにフィットしながら下方に延びた状態を保持しやすくなり、吸収した体液を漏らしにくい。
【００５４】
図７は、第１実施形態に従う吸収性物品１を説明するための図（正面図）であり、図６と同様、説明のため、液透過性シート１０１、第１防漏壁２１、第２防漏壁２７、並びにサイドシート１１１及びサイドシート１１２が省略されている。
【００５５】
図７に示されるように、吸収性物品１は、その展開状態において、吸収性物品１の幅方向中央線ＷＣと、第１吸収コア側縁１５とが交差する第１交点５１と、第１前方フラップ部６の外縁４１の幅方向Ｗの最も外側の部分の中で長手方向Ｌの中央に位置する第１前方点５３とを結ぶ第１前方仮想線分ＶＬ1を有する。同様に、吸収性物品１は、その展開状態において、吸収性物品１の幅方向中央線ＷＣと、第２吸収コア側縁１６とが交差する第２交点５２と、第２前方フラップ部１０の外縁４２の幅方向Ｗの最も外側の部分の中で長手方向Ｌの中央に位置する第２前方点５４とを結ぶ第２前方仮想線分ＶＬ2とを有する。
【００５６】
吸収性物品１の展開状態において、第１前方仮想線分ＶＬ1は、第１フラップ部５の外縁４１と、第１前方点５３を除いて、吸収性物品１の厚さ方向（図示せず）に重複しておらず、そして第２前方仮想線分ＶＬ2は、第２フラップ部９の外縁４２と、第２前方点５４を除いて、吸収性物品１の厚さ方向（図示せず）に重複していない。
【００５７】
そうすることにより、着用者が、吸収性物品１を、未着用状態の着衣（図示せず）に仮固定し、着衣を身につけた際に、第１前方フラップ部６及び第２前方フラップ部１０を把持して、未着用状態の着衣（図示せず）から伸長した状態にある着用状態の着衣（図示せず）のサイズに合わせて、吸収性物品１の位置（好ましくは、吸収性物品１の幅方向中央線ＷＣから前方の部分の位置）を、着用状態の着衣（図示せず）に合わせて修正することができる。具体的には、第１前方フラップ部６及び第２前方フラップ部１０を把持して、それらを長手方向Ｌの前方、及び幅方向Ｗの外側に動かした際に、それらに加えられた力が、ダイレクトに吸収コア１０６の幅方向中央線ＷＣの近傍まで作用することができ、吸収性物品１の位置（好ましくは、吸収性物品１の幅方向中央線ＷＣから前方の部分の位置）を、着用状態の着衣（図示せず）に合わせて修正することができる。その結果、着用者が、吸収性物品１及び着衣２０１を着用した状態において違和感を覚えにくくなる。
【００５８】
図７に示されるように、吸収性物品１は、第１交点５１と、第１後方フラップ部８の外縁４１の幅方向Ｗの最も外側の部分の中で長手方向Ｌの中央に位置する第１後方点５５とを結ぶ第１後方仮想線分ＶＬ3を有する。同様に、吸収性物品１は、第２交点５２と、第２後方フラップ部１２の外縁４２の幅方向Ｗの最も外側の部分の中で長手方向Ｌの中央に位置する第２後方点５６とを結ぶ第２後方仮想線分ＶＬ4を有する。
【００５９】
吸収性物品１の展開状態において、第１後方仮想線分ＶＬ3は、第１フラップ部５の外縁４１と、第１後方点５５を除いて、吸収性物品１の厚さ方向（図示せず）に重複しておらず、そして第２後方仮想線分ＶＬ4は、第２フラップ部９の外縁４２と、第２後方点５６を除いて、吸収性物品１の厚さ方向（図示せず）に重複していない。
【００６０】
そうすることにより、第１前方フラップ部６及び第２前方フラップ部１０を把持して、それらを長手方向Ｌの前方、及び幅方向Ｗの外側に動かした際に、それらに加えられた力が、吸収コア１０６の幅方向中央線ＷＣの近傍まで作用し、次いで、当該力が、幅方向中央線ＷＣの近傍から、第１後方点５５及び第２後方点５６に向かって作用するため、吸収性物品１の位置（好ましくは、吸収性物品１の幅方向中央線ＷＣから後方の部分の位置）を、着用状態の着衣（図示せず）に合わせて修正することができる。その結果、着用者が、吸収性物品１及び着衣２０１を着用した状態において違和感を覚えにくくなる。
【００６１】
また、着用者が吸収性物品１を着用する際に、着衣（図示せず）に、第１後方フラップ部８及び第２後方フラップ部１２を仮固定すると、着用者が着衣（図示せず）を身につけた際に、着衣の胴周り方向が伸び、それにつられて、第１後方フラップ部８及び第２後方フラップ部１２が、幅方向Ｗの外側に押し広げられるような力を受ける。上記力は、吸収性物品１の幅方向中央線ＷＣの近傍までダイレクトに作用することができるので、吸収性物品１の幅方向中央線ＷＣから後方の部分を、適切な位置に皺なく配置させることができる。その結果、着用者が、吸収性物品１及び着衣２０１を着用した状態において違和感を覚えにくくなる。
【００６２】
また、図７に示されるように、吸収性物品１の展開状態において、第１弾性部材３３は、仮想線分ＶＬ1と、吸収性物品１の厚さ方向（図示せず）に重複しないように配置されている。また、第２弾性部材３５は、吸収性物品１の展開状態において、仮想線分ＶＬ2と、吸収性物品１の厚さ方向（図示せず）に重複しないように配置されている。
【００６３】
着衣が、脚周り開口部のラインが浅いものである場合、例えば、ローレッグカット型である場合には、着衣の脚周り開口部２０３及び脚周り開口部２０５が、それぞれ、仮想線分ＶＬ1及び仮想線分ＶＬ2のラインを通る傾向がある。そのような場合であっても、吸収性物品１及び着衣２０１を着用した状態において、着衣の脚周り開口部２０３が、中央領域ＣＲにおいて、第１弾性部材３３と確実に離間し、第１中央フラップ部７（第１レッグギャザー４３）が着衣の内側に引き込まれにくくなり、吸収性物品１の位置がずれにくくなるとともに、第１レッグギャザー４３がその機能を発揮しやすくなる。
【００６４】
同様に、吸収性物品１及び着衣２０１を着用した状態において、着衣の脚周り開口部２０５が、中央領域ＣＲにおいて、第２弾性部材３５と確実に離間し、第２中央フラップ部１１（第２レッグギャザー４４）が着衣の内側に引き込まれにくくなり、吸収性物品１の位置がずれにくくなるとともに、第２レッグギャザー４４がその機能を発揮しやすくなる。
【００６５】
図２に示されるように、吸収性本体部３が、第１前方点５３と、第２前方点５４とを通る仮想線ＶＬよりも前方に、着衣に固定するため固定部１７を備える。そうすることにより、着用者が、吸収性物品１を着用する際に、第１前方フラップ部６及び第２前方フラップ部９を把持して吸収性物品１の位置を整えやすくなるとともに、吸収性物品１及び着衣（図示せず）を着用した状態において吸収性物品１の前方領域ＦＲの部分が着用者の鼠径部にフィットし続け、そして吸収性物品１がよれにくくなる。
【００６６】
図１及び図４に示されるように、第１防漏壁２１は、第１フラップ部５、具体的には、第１フラップ部５を構成する液透過性シート１０１に固定された固定端２２と、固定端２２の反対側の自由端２３と備える。なお、第１防漏壁２１の固定端２２及び自由端２３は、長手方向Ｌに延びている。同様に、図１及び図４に示されるように、第２防漏壁２７は、第２フラップ部９、具体的には、第２フラップ部９を構成する液透過性シート１０１に固定された固定端２８と、固定端２８の反対側の自由端２９と備える。なお、第２防漏壁２７の固定端２８及び自由端２９は、長手方向Ｌに延びている。
【００６７】
そうすることにより、吸収性物品１及び着衣（図示せず）を着用した状態において、第１フラップ部５及び第２フラップ部９が、それぞれ、着用者の内ももに沿って下方に延びるにつれて、第１防漏壁２１及び第２防漏壁２７が着用者の肌に向かって起立し、そして第１防漏壁２１の自由端２３及び第２防漏壁２７の自由端２９が幅方向Ｗの外側に拡がりやすくなるので、体液の漏れを抑制しやすくなる。
【００６８】
図１及び図４に示されるように、第１防漏壁２１は、自由端２３よりに、中央領域ＣＲから後方領域ＢＲに渡り弾性部材２４を含み、そして第２防漏壁２７は、自由端２９よりに、中央領域ＣＲから後方領域ＢＲに渡り弾性部材３０を含む。
【００６９】
図１に示されるように、第１防漏壁２１の自由端２３の、長手方向Ｌの両端は、固定部１１３により、吸収性本体部３を構成する液透過性シート１０１に固定されている。同様に、第２防漏壁２７の自由端２９の、長手方向Ｌの両端は、固定部１１４により、吸収性本体部３を構成する液透過性シート１０１に固定されている。そうすることにより、吸収性物品１及び着衣（図示せず）を着用した状態において、第１フラップ部５及び第２フラップ部９が、それぞれ、着用者の内ももに沿って下方に延びるにつれて、第１防漏壁２１及び第２防漏壁２７が着用者の肌に向かって起立しやすくなる。
【００７０】
図２に示されるように、第１前方フラップ部６は、その着衣側面、具体的には、第１前方フラップ部６を構成する液不透過性シート１０３の着衣側面に、着衣に固定するための固定部を有しない。同様に、第２前方フラップ部１０は、その着衣側面、具体的には、第２前方フラップ部１０を構成する液不透過性シート１０３の着衣側面に、着衣に固定するための固定部を有しない。そうすることにより、第１前方フラップ部６及び第２前方フラップ部１０のそれぞれが、吸収性物品１及び着衣（図示せず）を着用した状態において、着用者の鼠径部に沿って着衣の外側に延出しやすくなり、その機能を発揮しやすくなる。
【００７１】
図２に示されるように、第１中央フラップ部７（第１レッグギャザー４３）は、その着衣側面、具体的には、第１中央フラップ部７を構成する液不透過性シート１０３の着衣側面に、着衣に固定するための固定部を有しない。同様に、第２中央フラップ部１１（第２レッグギャザー４４）は、その着衣側面、具体的には、第２中央フラップ部１１を構成する液不透過性シート１０３の着衣側面に、着衣に固定するための固定部を有しない。そうすることにより、第１中央フラップ部７（第１レッグギャザー４３）及び第２中央フラップ部１１（第２レッグギャザー４４）のそれぞれが、吸収性物品１及び着衣（図示せず）を着用した状態において、着用者の内ももに沿って下方に延びるように配置されやすくなり、その機能を発揮しやすくなる。
【００７２】
図２に示されるように、第１後方フラップ部８は、第１中央フラップ部７よりも、幅方向Ｗの外側に延出している部分を含み、第１後方フラップ部８は、その着衣側面、具体的には、第１後方フラップ部８を構成する液不透過性シート１０３の着衣側面に、着衣に固定するための固定部４９を有する。また、第１後方フラップ部８において、固定部４９は、第１中央フラップ部７よりも、幅方向Ｗの内側の領域だけでなく、その外側の領域に配置されている。
【００７３】
同様に、第２後方フラップ部１２は、第２中央フラップ部１１よりも、幅方向Ｗの外側に延出している部分を含み、その着衣側面、具体的には、第２後方フラップ部１２を構成する液不透過性シート１０３の着衣側面に、着衣に固定するための固定部５０を有する。また、第２後方フラップ部１２において、固定部５０は、第２中央フラップ部１１よりも、幅方向Ｗの内側の領域だけでなく、外側の領域に配置されている。
【００７４】
そうすることにより、第１後方フラップ部８が、吸収性物品１及び着衣（図示せず）を着用する際及び着用した状態の両方において、第１中央フラップ部７を幅方向Ｗの外側に留めるように作用し、第１中央フラップ部７が、第１レッグギャザー４３として機能しやすくなる。また、第２後方フラップ部１２が、着用の際及び着用状態の両方において、第２中央フラップ部１１を幅方向Ｗの外側に留めるように作用し、第２中央フラップ部１１が、第２レッグギャザー４４として機能しやすくなる。
【００７５】
第１実施形態に従う吸収性物品１及び着衣０１の着用の仕方、並びにそれらを着用した状態を、必要に応じて図８及び図９を用いて説明する。
（ｉ）着用者は、吸収性物品１を着衣２０１、具体的にはショーツの内面に置き、図２に示される固定部１７、固定部４９及び固定部５０を着衣２０１に仮固定する。
（ｉｉ）着用者は、吸収性物品１を間にして、着衣２０１を履く。その際、第１後方フラップ部８の固定部４９と、第２後方フラップ部１２の固定部５０とが、着衣２０１に固定される。
（ｉｉｉ）図８に示されるように、着用者は、第１前方フラップ部６を右手の親指及び人差し指でつまみ、そして第２前方フラップ部１０を、左手の親指及び人差し指でつまむ。第１前方フラップ部６及び第２前方フラップ部１０が着衣２０１の内側に入っている場合には、着用者は、着衣２０１と鼠径部との間に指を入れ、それらを着衣の外側に引き出す。
【００７６】
（ｉｖ）右手及び左手を、吸収性物品１の長手方向Ｌの前方に動かし、第１前方フラップ部６及び第２前方フラップ部１０の幅方向中央線（図示せず）より前方の部分の位置を修正するとともに、右手及び左手を、吸収性物品１の幅方向Ｗの外側に動かし、吸収性物品１の幅方向Ｗのよれ、皺等を取り除く。
（ｖ）そうすることにより、図９に示されるように、第１前方フラップ部６の一部が、着衣２０１の脚周り開口部２０３の外側に延出し、第２前方フラップ部１０の一部が、着衣２０１の脚周り開口部２０５の外側に延出する。
【００７７】
（ｖｉ）図９に示されるように、第１中央フラップ部７の一部が、第１レッグギャザー４３を構成するとともに、着衣２０１の脚周り開口部２０３の外側に延出し、着用者の内ももに沿って下方に延びる。同様に、第２前方フラップ部１０の一部が、着衣２０１の脚周り開口部２０５の外側に延出し、第２中央フラップ部１１の一部が、第２レッグギャザー４４を構成するとともに、着衣２０１の脚周り開口部２０５の外側に延出し、着用者の内ももに沿って下方に延びる。
（ｖｉｉ）着衣２０１の上に下衣等を着衣することにより、図２に示される固定部１７、固定部４９及び固定部５０が、着衣２０１に本固定される。
【００７８】
図１０に示されるように、吸収性物品１及び着衣２０１を着用した状態において、第１レッグギャザー４３と、第２レッグギャザー４４とのそれぞれが、着衣２０１の外側に延出し、着用者の内ももに沿って下方に延びている。また、第１レッグギャザー４３が着用者の内ももに沿って下方に延びるとともに、第１防漏壁２１が、着用者の肌に向かって起立し、体液を漏らしにくくなる。同様に、第２レッグギャザー４４が着用者の内ももに沿って下方に延びるとともに、第２防漏壁２７が、着用者の肌に向かって起立し、体液を漏らしにくくなる。
【００７９】
第１実施形態では、吸収性物品１が、第１フラップ部５及び第２フラップ部９のそれぞれを、前方領域ＦＲ、中央領域ＣＲ及び後方領域ＢＲに有していたが、本開示の吸収性物品は、一対のフラップ部を、前方領域の一部において有していればよい。本開示の効果の観点からである。本開示の吸収性物品は、例えば、一対のフラップ部を、前方領域（すなわち、一対の前方フラップ部）及び中央領域（すなわち、一対の中央フラップ部）に有することができ、前方領域（すなわち、一対の前方フラップ部）及び後方領域（すなわち、一対の後方フラップ部）に有することができる。
【００８０】
本開示の吸収性物品では、第１領域及び第２領域のそれぞれにおいて、前方フラップ部が、前方フラップ部の外縁と、吸収コアの側縁との間の、吸収性物品の幅方向の長さが、吸収コアの側縁と、長手方向中央線との間の、吸収性物品の幅方向の長さよりも長い部分を含み、好ましくは１．１倍以上、より好ましくは１．２倍以上、そしてさらに好ましくは１．３倍以上長い部分を含む。そうすることにより、着用者が前方フラップ部を把持しやすくなり、吸収性物品の位置を調整しやすくなる。なお、上述の長さの関係は、吸収性物品の幅方向に延びる同一直線上で満たすことが好ましい。
【００８１】
また、一対の前方フラップ部のそれぞれは、着衣に固定するための固定部を有しないことが好ましい。吸収性物品の着用の際に、着用者が一対の前方フラップ部を把持するとともに、吸収性物品及び着衣を着用した状態において、一対の前方フラップ部が、着衣の外側に延出する場合があるからである。さらに、一対の前方フラップ部のそれぞれは、一対の中央フラップ部よりも、吸収性物品の幅方向外側に延出する部分を有することが好ましい。吸収性物品を着用する際に、一対の中央フラップ部を吸収性物品の幅方向外側の所定の位置に調整しやすくなるからである。
【００８２】
本開示の吸収性物品が、第１領域及び第２領域のそれぞれにおいて、中央フラップ部（一対の中央フラップ部）備える場合には、第１領域及び第２領域のそれぞれにおいて、中央フラップ部の外縁と、吸収コアの側縁との間の、吸収性物品の幅方向の長さが、吸収コアの側縁と、長手方向中央線との間の、吸収性物品の幅方向の長さよりも長い部分を含み、好ましくは１．２倍以上、より好ましくは１．４倍以上、そしてさらに好ましくは１．６倍以上長い部分を含む。そうすることにより、一対の中央フラップ部により構成される一対のレッグギャザーの、着衣の外側に延出する長さが長くなり、体液が漏れにくくなる。なお、上述の長さの関係は、吸収性物品の幅方向に延びる同一直線上で満たすことが好ましい。
【００８３】
また、上述の場合には、一対の中央フラップ部のそれぞれは、着衣に固定するための固定部を有しないことが好ましい。吸収性物品及び着衣を着用した状態において、一対の中央フラップ部が、一対のレッグギャザーを構成するとともに、着用者の内ももに沿って下方に延びるためである。
【００８４】
また、上述の場合には、一対のフラップ部のそれぞれが、中央領域の少なくとも一部に弾性部材を備えていることが好ましい。一対のフラップ部のそれぞれが、中央領域の少なきとも一部において、弾性部材とともに、レッグギャザー（一対のレッグギャザー）を形成することにより、体液が漏れにくくなるからである。
【００８５】
また、上述の場合には、一対のレッグギャザーのそれぞれを構成する弾性部材（一対の弾性部材）が、長手方向の前方の端部と、後方の端部とを有し、前方の端部が、後方の端部よりも、幅方向中央線に近いことが好ましい。吸収性物品の着用の際に、一対の前方フラップ部が、弾性部材につられて吸収性物品の幅方向の内側（長手方向中央線側）に入り込みにくく、着用者が、一対の前方フラップ部を把持し、吸収性物品の位置を整えやすいからである。
【００８６】
また、一対のレッグギャザーを構成する一対の弾性部材は、前方領域まで、すなわち、一対の前方フラップ部まで延びていないことが好ましい。一対の前方フラップ部は、レッグギャザーを構成する弾性部材の影響を受けやすく、一対の前方フラップ部が着衣の内側に入り込みやすくなるからである。
なお、後述のように、本開示の吸収性物品が、一対のフラップ部を後方領域に備える場合（一対の後方フラップ部を備える場合）には、一対のレッグギャザーを構成する一対の弾性部材は、後方領域まで、すなわち、一対の後方フラップ部まで延びていてもよい。一対の後方フラップ部は、一対のレッグギャザーを構成する弾性部材の影響を受けにくいためである。
【００８７】
また、上述の場合には、一対のレッグギャザーのそれぞれを構成する弾性部材（一対の弾性部材）が、特に制限されず、例えば、線状の弾性部材、例えば、糸ゴム、平ゴム、面状の線状部材、例えば、伸縮性シート（例えば、伸縮性不織布）等が挙げられる。一対のレッグギャザーのそれぞれを構成する弾性部材が、面状の線状部材であることにより、一対のレッグギャザーが、着用者の内ももに面でフィットすることができ、一対のレッグギャザーが、肌触りに優れる。
【００８８】
本開示の吸収性物品が、第１領域及び第２領域のそれぞれにおいて、後方フラップ部（一対の後方フラップ部）を備える場合には、第１領域及び第２領域のそれぞれにおいて、後方フラップ部が、後方フラップ部の外縁と、吸収コアの側縁との間の、吸収性物品の幅方向の長さが、吸収コアの側縁と、長手方向中央線との間の、吸収性物品の幅方向の長さよりも長い部分を含み、好ましくは１．１倍以上、より好ましくは１．２倍以上、そしてさらに好ましくは１．３倍以上長い部分を含む。そうすることにより、一対の後方フラップ部が、一対のレッグギャザーが着衣の内側に入り込むのを抑制するように作用しやすくなる。なお、上述の長さの関係は、吸収性物品の幅方向に延びる同一直線上で満たすことが好ましい。
【００８９】
また、上述の場合には、一対の後方フラップ部のそれぞれは、着衣に固定するための固定部を有することが好ましい。一対のレッグギャザーが着衣の内側に入り込むのを抑制する観点からである。さらに、一対の後方フラップ部のそれぞれは、一対の中央フラップ部よりも、吸収性物品の幅方向外側に延出する部分を有することが好ましい。一対のレッグギャザーが、着衣の内側に入り込みにくくなるからである。また、その場合には、一対の後方フラップ部のそれぞれは、一対の中央フラップ部よりも、吸収性物品の幅方向外側に延出する部分に上記固定部を有することがさらに好ましい。一対のレッグギャザーが、着衣の内側により入り込みにくくなるからである。
【００９０】
第１実施形態に従う吸収性物品１は、第１領域ＦＩ及び第２領域ＳＥにおいて、第１防漏壁２１及び第２防漏壁２７を有していたが、本開示の吸収性物品は、第１領域及び第２領域のそれぞれにおいて、防漏壁を有しなくともよい。
【００９１】
本開示の吸収性物品が、一対の防漏壁を備える場合には、それらの固定端は、一対のフラップ部上に存在することが好ましい。吸収性物品及び着衣を着用した状態において、一対の中央フラップ部（一対のレッグギャザー）が、着用者の内ももに沿って下方に延びるにつれて、一対の防漏壁が着用者の肌に向かって起立しやすくなるからである。
また、本開示の吸収性物品が、一対の防漏壁を備える場合には、それらの自由端は、吸収性本体部上に存在することが好ましい。一対の中央フラップ部（一対のレッグギャザー）が、着用者の内ももに沿って下方に延びるにつれて、一対の防漏壁が着用者の肌に向かって且つ内向きに起立しやすくなるからである。
【００９２】
本開示の吸収性物品では、第１実施形態と同様に、吸収性本体部が、第１前方フラップ部の外縁の幅方向の最も外側の部分の中で長手方向の中央に位置する第１前方点と、第２前方フラップ部の外縁の幅方向の最も外側の部分の中で長手方向の中央に位置する第２前方点とを通る仮想線よりも前方に、着衣に固定するため固定部を備えることが好ましい。着用者が、吸収性物品の着用の際に、一対の前方フラップ部を把持して吸収性物品の位置を整えやすくなるとともに、吸収性物品及び着衣を着用した状態において、吸収性物品の前方領域の部分が着用者の鼠径部にフィットし続け、そして吸収性物品がよれにくくなるからである。
なお、本開示の実施形態の１つに従う吸収性物品では、吸収性本体部が、上述の仮想線より前方に、固定部を有する。
【００９３】
本開示の吸収性物品では、第１領域及び第２領域のそれぞれにおいて、吸収性物品の幅方向中央線と、吸収コアの側縁とが交差する交点と、前方フラップ部の外縁の幅方向の最も外側の部分の中で長手方向の中央に位置する前方点とを結ぶ前方仮想線分が、フラップ部の外縁と、前方点を除いて上記吸収性物品の厚さ方向に重複していないことが好ましい。そうすることにより、上述のように、着用者が、吸収性物品及び着衣を着用した状態において違和感を覚えにくくなるからである。なお、前方仮想線分と、フラップ部の外縁とが、前方点を除いて吸収性物品の厚さ方向に重複しないためには、本開示の吸収性物品が、前方領域及び中央領域において、一対のフラップ部を備えること（一対の前方フラップ部及び一対の中央フラップ部を備えること）が好ましい。
【００９４】
本開示の吸収性物品が、後方領域において、一対のフラップ部を備える場合（一対の後方フラップ部を備える場合）には、第１領域及び第２領域のそれぞれにおいて、後方フラップ部が、着衣に固定するための固定部を有し、吸収性物品の幅方向中央線と、吸収コアの側縁とが交差する交点と、後方フラップ部の外縁の幅方向の最も外側の部分の中で長手方向の中央に位置する後方点とを結ぶ後方仮想線分が、フラップ部の外縁と、後方点を除いて吸収性物品の厚さ方向に重複していないことが好ましい。上述のように、着用者が、吸収性物品及び着衣を着用した状態において違和感を覚えにくくなるからである。なお、後方仮想線分と、フラップ部の外縁とが、後方点を除いて吸収性物品の厚さ方向に重複しないためには、本開示の吸収性物品が、前方領域、中央領域及び後方領域において、一対のフラップ部を備えること（一対の前方フラップ部、一対の中央フラップ部及び一対の後方フラップ部を備えること）が好ましい。
【００９５】
本開示の吸収性物品では、第１領域及び第２領域のそれぞれでは、レッグギャザーを構成する弾性部材が、幅方向中央線及び吸収コアの側縁が交差する交点と、前方フラップ部の外縁の幅方向の最も外側の部分の中で長手方向の中央に位置する前方点とを結ぶ仮想線分と、吸収性物品の厚さ方向に重複しないように配置されていることが好ましい。吸収性物品及び着衣を着用した状態において、一対のレッグギャザーが、着衣に引きつられて着衣の内側に引き込まれにくくなり、吸収性物品の位置がずれにくく、一対のレッグギャザーがその機能を発揮しやすくなるからである。
【００９６】
なお、上述の前方点（第１前方点、第２前方点）は、前方フラップ部の外縁の幅方向の最も外側の部分が一定の長さを有しない場合、すなわち、点である場合には、当該点を意味し、一定の長さを有する場合には、その長手方向の中央に位置する点を意味する。同様に、上述の後方点（第１後方点、第２後方点）は、後方フラップ部の外縁の幅方向の最も外側の部分が一定の長さを有しない場合、すなわち、点である場合には、当該点を意味し、一定の長さを有する場合には、その長手方向の中央に位置する点を意味する。
【００９７】
本開示の吸収性物品は、折り畳まれ、例えば、２つ折り、３つ折り、４つ折り等にされ、個包装され、個包装された吸収性物品として市販されることができる。本開示の吸収性物品は、幅方向中央線に沿って２つ折りにされることにより、吸収性物品及び着衣を着用した状態において、幅方向中央線に沿って、着用者と吸収性物品との間に空隙ができやすくなり、着用者の皮膚が、吸収性物品が吸収した体液に直接触れにくくなる。
【００９８】
本開示の吸収性物品としては、着衣に固定して用いられる吸収性物品であれば、特に制限されず、例えば、女性用の吸収性物品、例えば、生理用ナプキン、パンティーライナー、尿取りパッド等が挙げられる。また、本開示の吸収性物品は、長手方向中央線において線対称であることが好ましい。
【符号の説明】
【００９９】
１    吸収性物品
３    吸収性本体部
５    第１フラップ部
６    第１前方フラップ部
７    第１中央フラップ部
８    第１後方フラップ部
９    第２フラップ部
１０    第２前方フラップ部
１１    第２中央フラップ部
１２    第２後方フラップ部
１３    一方の側縁
１４    他方の側縁
１５    第１吸収コア側縁
１６    第２吸収コア側縁
１７    固定部
２１    第１防漏壁
２２    固定端
２３    自由端
２４    弾性部材
２７    第２防漏壁
２８    固定端
２９    自由端
３０    弾性部材
３１，３２    弾性部材
３３    第１弾性部材
３３ａ    前方の端部
３３ｂ    後方の端部
３５    第２弾性部材
３５ａ    前方の端部
３５ｂ    後方の端部
４１，４２    外縁
Ｌ    長手方向
Ｗ    幅方向
ＬＣ    長手方向中央線
ＷＣ    幅方向中央線
ＦＲ    前方領域
ＣＲ    中央領域
ＢＲ    後方領域
ＦＩ    第１領域
ＳＥ    第２領域
【図１】
0006373287.tif 000002
【図２】
0006373287.tif 000003
【図３】
0006373287.tif 000004
【図４】
0006373287.tif 000005
【図５】
0006373287.tif 000006
【図６】
0006373287.tif 000007
【図７】
0006373287.tif 000008
【図８】
0006373287.tif 000009
【図９】
0006373287.tif 000010
【図１０】
0006373287.tif 000011